(57)【要約】【課題】排気を浄化するように構成された排気浄化装置において、浄化部を有効に機能させることができるようにする。【解決手段】本開示の一態様は、排気浄化装置であって、導入部と、屈曲部と、接続部と、排気分散部と、浄化部と、を備える。導入部は、管状に形成され、排気が導入される。屈曲部は、管状に形成され、導入部の下流側にて屈曲する排気の流路を有する。接続部は、管状に形成され、屈曲部の下流側にて屈曲部における流路と連通する流路を有する。浄化部は、接続部内に配置され、排気を浄化する機能を有する。排気分散部は、屈曲部に配置され、屈曲部における流路内にて排気の一部の流れ方向を排気の他の一部とは異なる方向に分散させる機能を有する。【選択図】図１
2020125729.tif 000002
【特許請求の範囲】
【請求項１】
管状に形成され、排気が導入される導入部と、
管状に形成され、前記導入部の下流側にて屈曲する排気の流路を有する屈曲部と、
管状に形成され、前記屈曲部の下流側にて前記屈曲部における前記流路と連通する流路を有する接続部と、
前記接続部内に配置され、排気を浄化する機能を有する浄化部と、
前記屈曲部に配置され、前記屈曲部における流路内にて前記排気の一部の流れ方向を前記排気の他の一部とは異なる方向に分散させる機能を有する排気分散部と、
を備える排気浄化装置。
【請求項２】
請求項１に記載の排気浄化装置であって、
前記排気分散部は、前記屈曲部において前記浄化部と対向する部位を表す対向部に配置される
排気浄化装置。
【請求項３】
請求項２に記載の排気浄化装置であって、
前記排気分散部は、前記対向部のうちの外周側の部位を表す外周部を除く部位にて、該外周部よりも前記浄化部側に突出する
ように構成される排気浄化装置。
【請求項４】
請求項２又は請求項３に記載の排気浄化装置であって、
前記対向部は、前記導入部から遠ざかるにつれて前記浄化部に近づく
ように構成される排気浄化装置。
【請求項５】
請求項２から請求項４の何れか１項に記載の排気浄化装置であって、
前記排気分散部は、前記対向部の少なくとも一部が前記浄化部側に突出するように構成された突出部、
をさらに備える排気浄化装置。
【請求項６】
請求項２から請求項５の何れか１項に記載の排気浄化装置であって、
前記排気分散部は、前記対向部にて前記浄化部側に突出して配置される板状部材、
をさらに備える排気浄化装置。
【請求項７】
請求項１から請求項４の何れか１項に記載の排気浄化装置であって、
前記排気分散部は、前記導入部から該導入部における排気の流れ方向に沿って前記屈曲部を見たときに、前記導入部の一部が前記排気分散部によって閉塞して見える
ように構成される排気浄化装置。
【発明の詳細な説明】
【技術分野】
【０００１】
本開示は、排気を浄化するように構成された排気浄化装置に関する。
【背景技術】
【０００２】
上記の排気浄化装置として、触媒等の排気を浄化する浄化部を備えた構成が知られている。例えば、下記特許文献１には、浄化部の手前で排気の旋回流を発生させる技術が提案されている。
【先行技術文献】
【特許文献】
【０００３】
【特許文献１】国際公開第ＷＯ２０１６／１９４２０１号
【発明の概要】
【発明が解決しようとする課題】
【０００４】
しかしながら、発明者の詳細な検討の結果、浄化部の手前で排気に強い旋回流が生じると、浄化部の中心付近への排気の流量が減少し、浄化部を有効に機能させることができないという課題が見出された。
【０００５】
本開示の１つの局面は、排気を浄化するように構成された排気浄化装置において、浄化部を有効に機能させることができるようにすることにある。
【課題を解決するための手段】
【０００６】
本開示の一態様は、排気浄化装置であって、導入部と、屈曲部と、接続部と、排気分散部と、浄化部と、を備える。
導入部は、管状に形成され、排気が導入される。屈曲部は、管状に形成され、導入部の下流側にて屈曲する排気の流路を有する。接続部は、管状に形成され、屈曲部の下流側にて屈曲部における流路と連通する流路を有する。
【０００７】
浄化部は、接続部内に配置され、排気を浄化する機能を有する。排気分散部は、屈曲部に配置され、屈曲部における流路内にて排気の一部の流れ方向を排気の他の一部とは異なる方向に分散させる機能を有する。
【０００８】
このような構成によれば、排気分散部が排気の流れを分散させるので、排気が屈曲して流れる際における排気の流速を抑制することができる。よって、排気が屈曲部から接続部に移動する際に、一方向の強い旋回流が発生することを抑制することができる。このように強い旋回流を抑制することで、流路内の排気の流速を浄化部により均等に排気を導入することができる。したがって、排気浄化装置において浄化部を有効に機能させることができる。
【０００９】
本開示の一態様では、排気分散部は、屈曲部において浄化部と対向する部位を表す対向部に配置されてもよい。
このような構成によれば、排気分散部が浄化部から比較的遠い位置に配置されるので、浄化部の近くで排気の流路が狭められることを抑制できる。よって、流路が狭められることによる排気の圧力損失を抑制することができる。
【００１０】
本開示の一態様では、排気分散部は、対向部のうちの外周側の部位を表す外周部を除く部位にて、外周部よりも浄化部側に突出してもよい。
このような構成によれば、排気分散部が外周部を除く部位にて突出して配置されるので、排気分散部の周囲における外周部に沿う２方向に排気の流路を形成でき、また、排気分散部の浄化部側にも排気の流路を形成できる。よって、排気を３方向に分散して流すことができるので、流路内において排気をより均一に流すことができる。
【００１１】
本開示の一態様では、対向部は、導入部から遠ざかるにつれて浄化部に近づいてもよい。
このような構成によれば、対向部に沿って流れる排気が浄化部側に誘導されやすくすることができるので、排気が旋回流となることをより抑制することができる。
【００１２】
本開示の一態様は、排気分散部は、対向部の少なくとも一部が浄化部側に突出するように構成された突出部、をさらに備えてもよい。
このような構成によれば、対向部を浄化部側に突出させることで排気分散部を構成するので、排気分散部を屈曲部とは異なる部材とする構成と比較して、排気浄化装置の部品点数を削減することができる。
【００１３】
本開示の一態様では、排気分散部は、対向部にて浄化部側に突出して配置される板状部材、をさらに備えてもよい。
このような構成によれば、排気分散部を板状部材で構成するので、屈曲部の加工が困難な場合であっても、簡易に排気分散部を形成することができ、良好に排気を分散させて流すことができる。
【００１４】
本開示の一態様では、排気分散部は、導入部から導入部における排気の流れ方向に沿って屈曲部を見たときに、導入部の一部が排気分散部によって閉塞して見えるように構成してもよい。
【００１５】
このような構成によれば、導入部から導入される排気が、排気分散部を避けるように分散して流れる構成を確実に実現することができる。
なお、本開示の一態様では、屈曲部は、屈曲部の上流側での流路と屈曲部の下流側での流路とが直交するように屈曲する排気の流路を有してもよい。なお、ここでいう「直交」には「略直交」を含んでもよい。このような構成によれば、屈曲部の上流側での流路と屈曲部の下流側での流路とが直交しない構成と比較して、屈曲部の外周部に沿って一方向の強い旋回流が発生するため、本構成の排気分散部を備えることで、より排気の分散を効率よく行うことができる。よって、効率的に旋回流を抑制することができる。
【図面の簡単な説明】
【００１６】
【図１】第１実施形態の排気浄化装置の構成を示す斜視図である。
【図２】第１屈曲部の構成を示す斜視図である。
【図３】第１屈曲部の構成を示す正面図である。
【図４】第１実施形態の排気浄化装置における排気の流線図である。
【図５】参考例の排気浄化装置における排気の流線図である。
【図６】第２実施形態の第１屈曲部の構成を示す斜視図である。
【図７】第３実施形態の排気浄化装置の構成を示す斜視図である。
【図８】第３実施形態の排気浄化装置における排気の流線図である。
【図９】第３実施形態の排気浄化装置での排気の流速を明度で示す流速分布図である。
【図１０】参考例の排気浄化装置での排気の流速を明度で示す流速分布図である。
【図１１】第１変形例の第１屈曲部の構成を示す斜視図である。
【図１２】第２変形例の第１屈曲部の構成を示す斜視図である。
【発明を実施するための形態】
【００１７】
以下、図面を参照しながら、本開示の実施形態を説明する。
［１．第１実施形態］
［１−１．構成］
図１に示す排気浄化装置１は、内燃機関から排出される排気が導入され、排気を浄化する機能を有する装置である。排気浄化装置１は、内燃機関に隣接して、例えば、エンジンブロックの外周面に沿って配置される。なお、図１等の図面では、排気の流れ方向を白抜き矢印で示す。また、排気浄化装置１の下流側には、例えば、消音器等が配置される。
【００１８】
排気浄化装置１は、導入部１１と、第１屈曲部１２と、第１接続部１３と、を備える。また、排気浄化装置１は、第２屈曲部１６と、第２接続部１７と、複数の触媒３１，３２を備えてもよい。導入部１１、第１屈曲部１２、第１接続部１３、第２屈曲部１６、および第２接続部１７は、それぞれ管状に形成され、該管の内部が排気の流路２０となるように、流路２０が順に連通するように構成される。
【００１９】
導入部１１は、排気浄化装置１において排気の流れに対して最も上流側に位置し、内燃機関から排気が導入される部位である。
第１屈曲部１２は、導入部１１の下流側にて屈曲する排気の流路２０を有する部位である。そして、図１に示す例では、第１屈曲部１２は、屈曲する排気の流路２０によって、導入部１１から水平方向に導入された排気の流れ方向を、鉛直方向下向きに偏向する機能を有する。なお、導入部１１は、第１屈曲部１２の水平方向の中心よりもやや右側にオフセットした位置にて第１屈曲部１２に接続されている。
【００２０】
第１接続部１３は、第１屈曲部１２の下流側にて第１屈曲部１２における流路２０と連通する直線状の流路２０を有する部位である。第２屈曲部１６は、第１接続部１３の下流側にて屈曲する排気の流路２０を有する部位である。第２接続部１７は、第２屈曲部１６の下流側にて第２屈曲部１６における流路２０と連通する直線状の流路２０を有する部位である。
【００２１】
複数の触媒３１，３２は、それぞれ円筒形に形成されるとともに、第１接続部１３および第２接続部１７内にそれぞれ配置され保持される。複数の触媒３１，３２は、一般的な触媒としての機能を有する。すなわち、複数の触媒３１，３２は、所定の作動温度範囲内で、排気を浄化する作用を促進する機能を有する。
【００２２】
次に、第１屈曲部１２の詳細構成について、図２および図３を用いて説明する。なお、導入部１１における排気の流れ方向に直交する任意の仮想平面で、導入部１１を切断したときの切り口を導入口１１Ａとし、図２および図３では、排気浄化装置１の導入口１１Ａから第１屈曲部１２を経て第１接続部１３の一部までの部位を図示している。
【００２３】
ここで、第１屈曲部１２は、排気の流れ方向が偏向される部位であるため、排気の流れが不均一になりやすく、また、排気の圧力損失が生じやすい部位である。発明者による検討の結果、排気の流れが不均一となること、および排気の圧力損失を抑制するためには、排気が旋回流となることを抑制できるとよいことが分かった。本実施形態では、排気の旋回流を抑制するために、第１屈曲部１２を下記のように構成する。
【００２４】
第１屈曲部１２において、第１接続部１３に配置された触媒３１と対向する部位を対向部１２Ａとする。換言すれば、対向部１２Ａは、本実施形態の場合、第１屈曲部１２における鉛直方向上側の面である。
【００２５】
対向部１２Ａは、突出部１２Ｂと、外周部１２Ｃとを備える。突出部１２Ｂは、対向部１２Ａにおける外周部１２Ｃを除く部位が触媒３１側に突出するように構成された部位である。突出部１２Ｂは、導入口１１Ａから対抗する方向へ遠ざかるにつれ、触媒３１からの距離、すなわち流路の高さが低くなるように構成されてもよく、この場合、突出部１２Ｂは、導入部１１からの排気の流れ方向を下向きに偏向する機能を有する。
【００２６】
好ましくは、導入口１１Ａから突出部１２Ｂを見ると、突出部１２Ｂは、壁状、つまり、導入部１１からの排気の流れ方向が、鉛直方向下側に偏向されるよう構成されてもよい。このように構成されることで、より導入口からの排気の分散が行え、旋回流が抑制される。
【００２７】
外周部１２Ｃは、対向部１２Ａにおける外周側の部位である。外周部１２Ｃは、導入部１１から遠ざかるにつれて、徐々に触媒３１に近づくように、換言すれば、触媒３１からの流路２０の高さが低くなるように構成される。ただし、本実施形態での触媒３１から外周部１２Ｃまでの距離は、最も触媒３１からの距離が近くなる部位であっても、触媒３１から突出部１２Ｂまでの距離よりも遠くなるように設定される。
【００２８】
ここで、図３には、導入部１１、特に導入部１１における排気の流れ方向に沿って導入口１１Ａから第１屈曲部１２を見たときの状態を示している。図３において、対向部１２Ａにおける外周側において排気が流れる領域を領域Ａ、触媒３１側において排気が流れる領域を領域Ｃとする。また、図３において、領域Ａおよび領域Ｃを除く領域を領域Ｂとする。
【００２９】
本実施形態の構成では、導入部１１の一部が突出部１２Ｂによって閉塞して見える。換言すれば、突出部１２Ｂは、領域Ｂを閉塞するように見える。ただし、突出部１２Ｂは、領域Ｂから図３における突出部１２Ｂの手前側に沿って左側に続く流路２０が形成されるように配置されている。
【００３０】
このような突出部１２Ｂは、第１屈曲部１２における流路２０内にて排気の一部の流れ方向を排気の他の一部とは異なる方向に分散させる機能を有する。具体的には、図４に示すように、領域Ａを通過する排気の流れ方向は、突出部１２Ｂの右側にて第１屈曲部１２の外周に沿う流れ方向Ａとなる。
【００３１】
また、領域Ｂを通過する排気の流れ方向は、突出部１２Ｂの左側にて第１屈曲部１２の外周に沿う流れ方向Ｂとなる。また、領域Ｃを通過する排気の流れ方向は、突出部１２Ｂの下側から触媒３１に向かう流れ方向Ｃとなる。
【００３２】
ここで、図４は、第１実施形態の第１屈曲部１２において排気の流れのシミュレーション結果を流線図として示した図である。図４に示す例では、後述する図５の例と比較して、旋回流が弱いことが分かる。本実施形態の構成では、排気が流れ方向Ａ，Ｂ，Ｃに分散されているため、排気の一方向に流れる力が弱められ、旋回流が抑制されていると考えられる。
【００３３】
一方で、図５には、突出部１２Ｂを備えることなく、第１屈曲部が単に屈曲した流路のみを備える構成（以下、参考例の構成）にて、排気の流れのシミュレーション結果を流線図として示した図を示す。図５に示す例では、図４に示す例に対して、強い旋回流が生じており、排気が概ね分散されることなく一方向に流れていることが分かる。
【００３４】
［１−２．効果］
以上詳述した第１実施形態によれば、以下の効果を奏する。
（１ａ）本開示の一態様は、排気浄化装置１であって、導入部１１と、第１屈曲部１２と、第１接続部１３と、突出部１２Ｂと、触媒３１，３２と、を備える。
【００３５】
導入部１１は、管状に形成され、排気が導入される。第１屈曲部１２は、管状に形成され、導入部１１の下流側にて屈曲する排気の流路２０を有する。第１接続部１３は、管状に形成され、第１屈曲部１２の下流側にて第１屈曲部１２における流路２０と連通する直線状の流路２０を有する。
【００３６】
触媒３１は、第１接続部１３内に配置され、排気を浄化する機能を有する。突出部１２Ｂは、第１屈曲部１２に配置され、第１屈曲部１２における流路２０内にて排気の一部の流れ方向を排気の他の一部とは異なる方向に分散させる機能を有する。
【００３７】
このような構成によれば、突出部１２Ｂが排気の流れを分散させるので、排気が屈曲して流れる際における排気の流速を抑制することができる。よって、排気が第１屈曲部１２から第１接続部１３に移動する際に、一方向の強い旋回流が発生することを抑制することができる。このように強い旋回流を抑制することで、流路２０内の排気の流速を触媒３１，３２により均等に排気を導入することができる。また、旋回流を抑制できるため、排気の圧力損失を抑制することができる。したがって、排気浄化装置１において触媒３１，３２を有効に機能させることができる。
【００３８】
（１ｂ）本開示の一態様では、突出部１２Ｂは、第１屈曲部１２において触媒３１，３２と対向する部位を表す対向部１２Ａに配置されている。
このような構成によれば、突出部１２Ｂが触媒３１，３２から比較的遠い位置に配置されるので、触媒３１，３２の近くで流路２０が狭められることを抑制できる。よって、流路２０が狭められることによる排気の圧力損失を抑制することができる。
【００３９】
（１ｃ）本開示の一態様では、突出部１２Ｂは、対向部１２Ａにおける外周側の部位を表す外周部１２Ｃを除く部位にて、外周部１２Ｃよりも触媒３１，３２側に突出している。
このような構成によれば、突出部１２Ｂが外周部１２Ｃを除く部位にて突出して配置されるので、突出部１２Ｂの周囲における外周部１２Ｃに沿う２方向に排気の流路２０を形成でき、また、突出部１２Ｂの触媒３１，３２側にも排気の流路２０を形成できる。よって、排気を３方向に分散して流すことができるので、流路２０内において排気をより均一に流すことができる。
【００４０】
（１ｄ）本開示の一態様では、対向部１２Ａは、導入部１１から遠ざかるにつれて触媒３１，３２に近づくように構成される。
このような構成によれば、対向部１２Ａに沿って流れる排気が触媒３１，３２側に誘導されやすくすることができるので、排気が旋回流となることをより抑制することができる。
【００４１】
（１ｅ）本開示の一態様は、突出部１２Ｂは、対向部１２Ａの少なくとも一部が触媒３１，３２側に突出するように構成される。
このような構成によれば、対向部１２Ａを触媒３１，３２側に突出させることで突出部１２Ｂを構成するので、突出部１２Ｂを第１屈曲部１２とは異なる部材とする構成と比較して、排気浄化装置１の部品点数を削減することができる。
【００４２】
（１ｆ）本開示の一態様では、突出部１２Ｂは、導入部１１から導入部１１における排気の流れ方向に沿って第１屈曲部１２を見たときに、導入部１１の一部が突出部１２Ｂによって閉塞して見えるように構成される。
【００４３】
このような構成によれば、導入部１１から導入される排気が、突出部１２Ｂを避けるように分散して流れる構成を確実に実現することができる。
［２．第２実施形態］
［２−１．第１実施形態との相違点］
第２実施形態以下の実施形態は、基本的な構成は第１実施形態と同様であるため、相違点について以下に説明する。なお、第１実施形態と同じ符号は、同一の構成を示すものであって、先行する説明を参照する。
【００４４】
前述した第１実施形態の排気浄化装置１では、第１屈曲部１２が突出部１２Ｂを備えた。これに対し、第２実施形態の排気浄化装置２では、第１屈曲部１２Ｅが突出部１２Ｂを備えることなく、突出部１２Ｂと同様の機能を有するプレート１５を備える点で、第１実施形態と相違する。
【００４５】
［２−２．構成］
第２実施形態の排気浄化装置２において、第１屈曲部１２Ｅは、図６に示すように、突出部１２Ｂを備えることなく、対向部１２Ａの全体は、触媒３１からの距離が外周部１２Ｃを構成する曲面と同一になるように構成される。ただし、対向部１２Ａの内側、すなわち触媒３１側には、対向部１２Ａから触媒３１側に突出して配置される板状部材であるプレート１５を備える。プレート１５は、第１実施形態における突出部１２Ｂに対応する部位、換言すれば、外周部１２Ｃの触媒３１側を除く部位にて配置される。
【００４６】
プレート１５は、鉛直方向に立設される部材を備える。プレート１５は、突出部１２Ｂの外形と概ね一致する。なお、第２実施形態では、プレート１５は、鉛直方向に立設される部材のみを備え、この部材によって囲まれる空間を閉塞するための略水平方向に配置される部材を備えない。ただし、他の実施形態として、鉛直方向に立設される部材によって囲まれる空間を閉塞するための、略水平方向に配置される部材が備えられてもよい。
【００４７】
［２−３．効果］
以上詳述した第２実施形態によれば、前述した第１実施形態の効果（１ａ）を奏し、さらに、以下の効果を奏する。
【００４８】
（２ａ）排気浄化装置２は、対向部１２Ａにて触媒３１，３２側に突出して配置されるプレート１５、をさらに備える。
このような構成によれば、突出部１２Ｂをプレート１５で構成するので、第１屈曲部１２の加工が困難な場合であっても、良好に排気を分散させて流すことができる。
【００４９】
［３．第３実施形態］
［３−１．第１実施形態との相違点］
前述した第１実施形態では、触媒３１から外周部１２Ｃまでの距離は、最も触媒３１からの距離が近くなる部位であっても、触媒３１から突出部１２Ｂまでの距離よりは遠くなるように設定された。これに対し、第３実施形態の排気浄化装置３では、触媒３１から外周部１２Ｃまでの距離が、最も触媒３１からの距離が近くなる部位では、触媒３１から突出部１２Ｂまでの距離と同じ距離になるように設定される点で、第１実施形態と相違する。
【００５０】
［３−２．構成］
第３実施形態の排気浄化装置３においては、図７に示すように、第１屈曲部１２Ｆを備える。第１屈曲部１２Ｆにおいて、対向部１２Ａは、突出部１２Ｂおよび外周部１２Ｃを備える。ただし、第３実施形態の第１屈曲部１２Ｆでは、外周部１２Ｃが、導入部１１から遠ざかるにつれて、第１実施形態の構成よりも急速に触媒３１に近づくように、外周部１２Ｃにおける水平方向に対する傾きがより大きく構成される。
【００５１】
この結果、外周部１２Ｃは、導入部１１から遠い部位で、突出部１２Ｂにかなり接近する。外周部１２Ｃと突出部１２Ｂとは、同一の平面を構成する必要はないが、好ましくは、第１屈曲部１２Ｆのように、外周部１２Ｃは、突出部１２Ｂと一体になり、突出部１２Ｂと同一の平面を構成するとよい。
【００５２】
図８は、第３実施形態の第１屈曲部１２Ｆにおいて排気の流れのシミュレーション結果を流線図として示した図である。図８からは、第１実施形態の第１屈曲部１２と同様に、排気は、主として、流れ方向Ａ，Ｂ，Ｃに分散されることが分かる。
【００５３】
また、図９、図１０には、触媒３１の上面における排気の流速の分布を示す。図９は、第３実施形態の排気浄化装置３における流速の分布であり、図１０は、参考例の構成における流速の分布である。また、図９、図１０では、明度が高いほど流速が大きく、明度が均一であるほど流速が均一であることを示す。
【００５４】
図１０に示す参考例の構成では、明度が高い部位および明度が低い部位が存在し、流速が不均一であるのに対して、図９に示す第３実施形態の排気浄化装置３では、概ね明度が一定であり、流速が均一であることが分かる。
【００５５】
なお、第３実施形態の排気浄化装置３の構成では、参考例の構成と比較して、排気の流速が一定である程度を数値化した流速一様度が、１４．６％程度向上した。また、第３実施形態の排気浄化装置３の構成では、第１実施形態の排気浄化装置１と比較しても、流速一様度が１．７％程度向上した。
【００５６】
［３−３．効果］
以上詳述した第３実施形態によれば、前述した第１実施形態の効果（１ａ）を奏し、さらに、以下の効果を奏する。
【００５７】
（３ａ）本開示の一態様では、第１屈曲部１２Ｆにおいて対向部１２Ａは、導入部１１から遠ざかるにつれて触媒３１，３２に近づくように構成される。特に、外周部１２Ｃは、導入部１１から遠ざかるにつれて突出部１２Ｂにかなり接近する。好ましくは、第１屈曲部１２Ｆのように、外周部１２Ｃは、導入部１１から最も遠い部位で突出部１２Ｂと一体になり、突出部１２Ｂと同一の平面を構成するとよい。
【００５８】
このような構成によれば、対向部１２Ａに沿って流れる排気が触媒３１，３２側に誘導されやすくすることができるので、排気が旋回流となることをより抑制することができる。また、このような構成では、排気の旋回流が発生するスペースを狭くすることで旋回流の発生を抑制することができる。
【００５９】
［４．他の実施形態］
以上、本開示の実施形態について説明したが、本開示は上述の実施形態に限定されることなく、種々変形して実施することができる。
【００６０】
（４ａ）上記実施形態では、導入部１１が、第１屈曲部１２の水平方向の中心よりもやや右側にオフセットした位置にて第１屈曲部１２に接続されるよう構成したが、これに限定されるものではない。例えば、図１１に示す第１変形例の第１屈曲部１２Ｇのように、突出部１２Ｂを備える構成において、水平方向の中央にて導入部１１が接続されるよう構成してもよい。また、図１２に示す第２変形例の第１屈曲部１２Ｈのように、突出部１２Ｂに換えてプレート１５を備える構成において、水平方向の中央にて導入部１１が接続されるよう構成してもよい。
【００６１】
（４ｂ）上記実施形態では、突出部１２Ｂおよびプレート１５のうちの一方を備える構成としたが、突出部１２Ｂおよびプレート１５の両方を備える構成でもよい。このような構成によれば、外周部１２Ｃに対する突出部１２Ｂの突出量を大きく確保できない場合に、プレート１５を用いて突出部１２Ｂの機能を補うことができる。
【００６２】
また例えば、第１屈曲部１２Ｇを複数の車両に共用する場合、内燃機関の種別、すなわち、排気の流れの態様が異なる場合において、排気の流れを最適化するために、プレート１５のみを変更する構成が考えられる。このようにすれば、排気の流れに合わせて、排気の流れを最適化するプレート１５の形状を選択することができる。
【００６３】
（４ｃ）上記実施形態では、排気を浄化する機能を有する浄化部として、触媒３１，３２を備えたが、これに限定されるものではない。例えば、浄化部として、触媒３１，３２に換えて、或いは、触媒３１，３２に加えて、フィルタを備える構成としてもよい。フィルタとしては、例えば、ＤＰＦ（Diesel particulate filter）等のフィルタを採用してもよい。
【００６４】
（４ｄ）上記実施形態では、突出部１２Ｂおよびプレート１５等の排気分散部を第１屈曲部１２，１２Ｅ，１２Ｆ，１２Ｇ，１２Ｈ（以下、１２等）の中央付近に配置したが、これに限定されるものではない。例えば、排気分散部は、第１屈曲部１２等の中央よりも導入口１１Ａ側にて、導入口１１Ａから流入する排気が当たるように配置されてもよい。
【００６５】
このような構成によれば、排気分散部が第１屈曲部１２等の中央よりも近く、より多くの排気が排気分散部に当たるようにすることができるので、排気をより分散でき、旋回流を抑制することができる。
【００６６】
（４ｅ）上記実施形態における１つの構成要素が有する複数の機能を、複数の構成要素によって実現したり、１つの構成要素が有する１つの機能を、複数の構成要素によって実現したりしてもよい。また、複数の構成要素が有する複数の機能を、１つの構成要素によって実現したり、複数の構成要素によって実現される１つの機能を、１つの構成要素によって実現したりしてもよい。また、上記実施形態の構成の一部を省略してもよい。また、上記実施形態の構成の少なくとも一部を、他の上記実施形態の構成に対して付加又は置換してもよい。
【００６７】
（４ｆ）上述した排気浄化装置１，２，３の他、当該排気浄化装置１，２，３構成要素とするシステムなど、種々の形態で本開示を実現することもできる。
［５．実施形態の構成と本開示の構成との対応関係］
上記実施形態での第１屈曲部１２等は、本開示での屈曲部に相当し、上記実施形態での第１接続部１３は、本開示での接続部に相当する。また、上記実施形態での触媒３１，３２は、本開示での浄化部に相当し、上記実施形態での突出部１２Ｂおよびプレート１５は、本開示での排気分散部に相当する。また、上記実施形態でのプレート１５は、板状部材に相当する。
【符号の説明】
【００６８】
１，２，３…排気浄化装置、１１…導入部、１１Ａ…導入口、１２，１２Ｅ，１２Ｆ，１２Ｇ，１２Ｈ…第１屈曲部、１２Ａ…対向部、１２Ｂ…突出部、１２Ｃ…外周部、１３…第１接続部、１５…プレート、１６…第２屈曲部、１７…第２接続部、２０…流路、３１，３２…触媒。
【図１】
2020125729.tif 000003
【図２】
2020125729.tif 000004
【図３】
2020125729.tif 000005
【図４】
2020125729.tif 000006
【図５】
2020125729.tif 000007
【図６】
2020125729.tif 000008
【図７】
2020125729.tif 000009
【図８】
2020125729.tif 000010
【図９】
2020125729.tif 000011
【図１０】
2020125729.tif 000012
【図１１】
2020125729.tif 000013
【図１２】
2020125729.tif 000014